Podtech/llm-jp-corpus-v4-ja_patent huggingface dataset:
【手続補正書】
【提出日】平成27年7月10日(2015.7.10)
【手続補正１】
【補正対象書類名】明細書
【補正対象項目名】発明の名称
【補正方法】変更
【補正の内容】
【発明の名称】充電制御装置、ファクシミリ装置、及び複合機
【手続補正２】
【補正対象書類名】明細書
【補正対象項目名】０００１
【補正方法】変更
【補正の内容】
【０００１】
本発明は、充電制御装置、ファクシミリ装置、及び複合機に関し、特にバックアップ電源として組み込まれた二次電池の停電時と自動電源切断モード時における充放電制御を行う充電制御装置、ファクシミリ装置、及び複合機に関する。 
【手続補正３】
【補正対象書類名】明細書
【補正対象項目名】０００８
【補正方法】変更
【補正の内容】
【０００８】
本発明は、上記問題に鑑みて成されたものであり、オートシャットオフ機能等により電源のＯＮ／ＯＦＦが繰り返される環境でも二次電池の充放電回数を低減し、コストアップすることなく二次電池の寿命劣化を防止する充電制御装置、ファクシミリ装置、及び複合機を提供することを目的とする。
【手続補正４】
【補正対象書類名】明細書
【補正対象項目名】０００９
【補正方法】変更
【補正の内容】
【０００９】
上記目的を達成するために、本発明の充電制御装置は、装置電源による負荷への電源供給が停止したときに、前記装置電源に代わって前記負荷へ電源供給を行う二次電池の充電制御装置であって、前記負荷と前記二次電池との間に挿入され、前記二次電池から前記負荷への給電／切断を切り替えるスイッチ手段と、前記電源供給が停止したときに当該停止の要因を特定する要因特定手段と、前記要因特定手段により特定された停止の要因に基づいて、前記スイッチ手段により前記二次電池から前記負荷への給電を制御する制御手段とを備えることを特徴とする。
【手続補正５】
【補正対象書類名】特許請求の範囲
【補正対象項目名】全文
【補正方法】変更
【補正の内容】
【特許請求の範囲】
【請求項１】
装置電源による負荷への電源供給が停止したときに、前記装置電源に代わって前記負荷へ電源供給を行う二次電池の充電制御装置であって、
前記負荷と前記二次電池との間に挿入され、前記二次電池から前記負荷への給電／切断を切り替えるスイッチ手段と、
前記電源供給が停止したときに当該停止の要因を特定する要因特定手段と、
前記要因特定手段により特定された停止の要因に基づいて、前記スイッチ手段により前記二次電池から前記負荷への給電を制御する制御手段とを備えることを特徴とする充電制御装置。
【請求項２】
前記要因特定手段は、少なくとも、停電と、それ以外を特定するものであることを特徴とする請求項１に記載の充電制御装置。
【請求項３】
前記要因特定手段は、少なくとも、予め設定された時間の経過後にソレノイド内蔵の電源ＳＷにより電源を切断するソフト制御による電源切断と、それ以外を特定するものであることを特徴とする請求項１に記載の充電制御装置。
【請求項４】
前記要因特定手段は、少なくとも、ユーザによる電源切断と、設定時間経過に応じて自動的に電源を切断する自動電源切断とを特定するものであることを特徴とする請求項１に記載の充電制御装置。
【請求項５】
前記制御手段は、前記装置電源による前記負荷への電源供給が停止し、かつ前記要因特定手段により停電と特定された場合は、前記スイッチ手段を制御して前記二次電池から前記負荷への給電を行うことを特徴とする請求項２に記載の充電制御装置。
【請求項６】
前記制御手段は、前記装置電源による前記負荷への電源供給が停止し、かつ前記要因特定手段により前記ソフト制御による電源切断と特定された場合は、前記スイッチ手段を制御して前記二次電池から前記負荷への給電を停止することを特徴とする請求項３に記載の充電制御装置。
【請求項７】
前記制御手段は、前記装置電源による前記負荷への電源供給が停止し、かつ前記要因特定手段により前記ユーザによる電源切断と特定された場合は、前記スイッチ手段を制御して前記二次電池から前記負荷への給電を停止することを特徴とする請求項４に記載の充電制御装置。
【請求項８】
前記制御手段は、前記装置電源による前記負荷への電源供給が停止し、かつ前記要因特定手段により前記ユーザによる電源切断と特定された場合は、前記スイッチ手段を制御して前記二次電池から前記負荷への給電を一定時間のみ行い、その後、給電を停止することを特徴とする請求項４に記載の充電制御装置。
【請求項９】
前記一定時間は、前記要因特定手段により停電と特定されたときの前記二次電池から前記負荷への給電時間よりも短いことを特徴とする請求項８記載の充電制御装置。
【請求項１０】
装置電源による負荷への電源供給が停止したときに、前記装置電源に代わって前記負荷へ電源供給を行う二次電池の充電制御装置であって、
前記電源供給が停止したときに当該停止の要因を特定する要因特定手段と、
電源供給が開始されたときに、前回の電源供給が停止した要因を前記要因特定手段により特定し、その結果に基づいて、前記二次電池への充電を制御する制御手段とを備えることを特徴とする充電制御装置。
【請求項１１】
前記制御手段は、前記要因特定手段により停電と特定された場合は、電源供給が開始されたときに前記二次電池への充電を行うことを特徴とする請求項１０に記載の充電制御装置。
【請求項１２】
前記制御手段は、前記要因特定手段により、予め設定された時間の経過後にソレノイド内蔵の電源ＳＷにより電源を切断するソフト制御による電源切断と特定された場合は、電源供給が開始されたときに前記二次電池への充電を行なわないことを特徴とする請求項１０に記載の充電制御装置。
【請求項１３】
前記制御手段は、前記要因特定手段によりユーザによる電源切断と特定された場合は、前記二次電池への充電を行なわないことを特徴とする請求項１０に記載の充電制御装置。 
【請求項１４】
前記制御手段は、前記要因特定手段によりユーザによる電源切断と特定された場合は、前記要因特定手段により停電と特定されたときの前記二次電池の充電時間よりも短い充電時間で前記二次電池に充電を行うことを特徴とする請求項１０に記載の充電制御装置。
【請求項１５】
前記負荷は、少なくとも揮発性の記憶手段を含み、当該揮発性の記憶手段には画像データが記憶されることを特徴とする請求項１乃至１４のいずれか１項に記載の充電制御装置。
【請求項１６】
前記揮発性の記憶手段に所定の画像データが記憶されている場合、前記制御手段は、前記要因特定手段により特定された停止の要因に基づく、前記スイッチ手段による前記二次電池から前記負荷への給電の制御を行わないことを特徴とする請求項１５に記載の充電制御装置。
【請求項１７】
前記二次電池の終端電圧を検知する電圧検知手段をさらに有し、
前記制御手段は、電源供給が開始されたときに前記電圧検知手段の検知結果が予め設定されたしきい値より低い場合は、前記要因特定手段の結果に関わらず、前記二次電池の充電を行うことを特徴とする請求項１乃至１６のいずれか１項に記載の充電制御装置。
【請求項１８】
請求項１乃至１７の何れかに記載の充電制御装置を備えたファクシミリ装置。
【請求項１９】
請求項１乃至１７の何れかに記載の充電制御装置を備えた複合機。
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
電池パックと、充電動作の開始からの時間をカウントし前記カウントが所定時間を超えた場合に前記電池パックへの充電動作を停止する充電器と、を接続可能なアダプタであって、
前記充電器と接続される第１接続部と、
前記電池パックと接続される第２入出力部と、
前記カウントをリセットするリセット信号を前記充電器に出力するリセット信号出力部と、
を備えたことを特徴とするアダプタ。
【請求項２】
前記リセット信号出力部から、疑似的な電池識別信号を前記充電器に出力し、
前記リセット信号は、前記電池識別信号の出力を一時的に遮断する信号であることを特徴とする請求項１に記載のアダプタ。
【請求項３】
前記リセット信号は、前記カウントの所定時間よりも短い時間間隔で、前記電池識別信号を一時的に遮断することを特徴とする請求項２に記載のアダプタ。
【請求項４】
前記電池パックは、
第３プラス端子と第４マイナス端子とからなる第３入出力部を電流路に配置された二次電池と、
前記二次電池と直列に前記電流路に配置された遮断回路と、
前記二次電池の満充電を検知した場合に前記遮断回路に前記電流路を遮断させる電池側マイコンと、を備え、
前記アダプタの前記第２入出力部と、前記電池パックの前記第３入出力部が接続されたことを特徴とする請求項１乃至３の何れか１項に記載されたアダプタ付き電池パック。
【手続補正２】
【補正対象書類名】明細書
【補正対象項目名】発明の名称
【補正方法】変更
【補正の内容】
【発明の名称】アダプタ及び、アダプタ付き電池パック
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
透光性基板と光電変換層と封止樹脂と裏面保護部材とをこの順に配した光電変換モジュールであって、
前記封止樹脂は、熱可塑性を有しかつ熱硬化性を有さない樹脂であり、
前記封止樹脂の端面が、前記裏面保護部材の外周端より前記光電変換モジュールの中心側にある光電変換モジュール。
【請求項２】
前記封止樹脂は、アイオノマー樹脂またはポリオレフィン系樹脂である請求項１に記載の光電変換モジュール。
【請求項３】
前記封止樹脂は、シランカップリング剤が添加されている請求項１または２に記載の光電変換モジュール。
【請求項４】
前記裏面保護部材の長辺と短辺の交点と、前記封止部材の端面との間の距離が、１ｍｍ以上１２ｍｍ以下である請求項１〜３のいずれか一つに記載の光電変換モジュール。
【請求項５】
前記光電変換モジュールは、前記封止樹脂と前記裏面保護部材との接着力が５０Ｎ/１０ｍｍ以上の箇所を有する請求項１〜４のいずれか一つに記載の光電変換モジュール。
【請求項６】
前記光電変換モジュールの角部における前記封止樹脂と前記裏面保護部材の接着力をＦａ、前記光電変換モジュールの中心部における前記封止樹脂と前記裏面保護部材の接着力をＦｂとしたとき、Ｆａ／Ｆｂは０．７以上１．０以下である請求項１〜５のいずれか一つに記載の光電変換モジュール。
【請求項７】
前記光電変換モジュールの面積は、０．６ｍ２以上１．５ｍ２以下である請求項１〜６のいずれか一つに記載の光電変換モジュール。
【請求項８】
前記裏面保護部材はガラスである請求項１〜７のいずれか一つに記載の光電変換モジュール。
【請求項９】
光電変換層が形成された透光性基板の前記光電変換層側に配置された封止樹脂であって、熱可塑性を有しかつ熱硬化性を有さない前記封止樹脂の上に、裏面保護部材を載置する載置工程と、
前記光電変換層を前記封止樹脂で封止する封止工程と、
前記封止工程の後の熱処理工程とを有する光電変換モジュールの製造方法。
【手続補正書】
【提出日】平成27年4月24日(2015.4.24)
【手続補正１】
【補正対象書類名】特許請求の範囲
【補正対象項目名】請求項１
【補正方法】変更
【補正の内容】
【請求項１】
（ａ）非プロトン性溶媒中で
（ｉ）式Ｒ１（Ｒ２）Ｓｉ（ＯＲ６）２を有するＤ単位、
（ｉｉ）式Ｒ３Ｓｉ（ＯＲ７）３を有するＴ単位、
（ｉｉｉ）場合によって、式Ｒ４３ＳｉＯＲ８を有するＭ単位、および
（ｉｖ）場合によって、式Ｓｉ（ＯＲ９）４を有するＱ単位
を一緒にし
（式中、各Ｒ１およびＲ３は独立してＣ６−１０アリール基およびＣ７−２０アルキルアリール基から選択され；各Ｒ２はフェノキシフェニル基であり；各Ｒ４は独立してＣ１−１０アルキル基、Ｃ７−１０アリールアルキル基、Ｃ７−１０アルキルアリール基およびＣ６−１０アリール基から選択され；並びに各Ｒ６、Ｒ７、Ｒ８およびＲ９は独立して水素原子、Ｃ１−１０アルキル基、Ｃ７−１０アリールアルキル基、Ｃ７−１０アルキルアリール基およびＣ６−１０アリール基から選択される）；
（ｂ）前記（ａ）の一緒にしたものに、水およびアルコールの混和性混合物中の酸を添加して反応混合物を形成し；
（ｃ）前記反応混合物を反応させ；
（ｄ）非プロトン性溶媒中の有機チタナートを前記（ｃ）の反応させられた反応混合物に添加し；
（ｅ）前記（ｄ）の生成物に水を添加し；
（ｆ）前記（ｅ）の生成物を加熱して、それを反応させ；並びに
（ｇ）前記（ｆ）の生成物を精製して、硬化性液体ポリシロキサン／ＴｉＯ２複合体を提供する；ことを含んで、
１．６１より大きく１．７以下の屈折率を示し、かつ室温および大気圧で液体である硬化性液体ポリシロキサン／ＴｉＯ２複合体を提供し；
面を有する半導体発光ダイオードダイを提供し、前記半導体発光ダイオードダイは前記面から光を放射するものであり；
前記半導体発光ダイオードダイを前記硬化性液体ポリシロキサン／ＴｉＯ２複合体と接触させ；並びに
前記硬化性液体ポリシロキサン／ＴｉＯ２複合体を硬化させて光学エレメントを形成し、前記光学エレメントの少なくとも一部分が前記面の近傍にある；
ことを含む、光学エレメントを有する発光ダイオード（ＬＥＤ）を製造する方法。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
上部が開放の空洞を有してセラミック材質を含む本体と、
前記空洞の底面と前記本体の下面との間の前記本体の領域内に配置された放熱部材と、
前記空洞の底面に配置された複数の電極と、
前記本体の下面の配置され、前記複数の電極と電気的に接続された複数のパッドと、
前記空洞の底面に配置された前記複数の電極のうち何れか一つの上に配置され、前記複数の電極と電機的に接続された発光ダイオードと、
前記複数のパッドのうち少なくとも一つと放熱部材との間に配置され、前記放熱部材の厚さより薄い厚さを有するバッファ層と
を備え、
前記本体は前記放熱部材の周りに配置され、
前記放熱部材の下面の面積は、前記複数のパッドのうち何れか一つの上面の面積より小さい、発光素子パッケージ。
【請求項２】
前記バッファ層は、前記本体と異なるセラミック材質を含む、請求項１に記載の発光素子パッケージ。
【請求項３】
前記バッファ層内には、Ａｌ、Ｃｒ、Ｓｉ、Ｔｉ、Ｚｎ、Ｚｒのうち少なくとも一つを有する酸化物、窒化物、フッ化物、硫化物が混合された化合物のうち少なくとも一つを含む、請求項２に記載の発光素子パッケージ。
【請求項４】
前記バッファ層は、前記パッドの物質と異なる金属材質を含む、請求項１に記載の発光素子パッケージ。
【請求項５】
前記バッファ層は、前記複数のパッドのうち何れか一つの上面と前記放熱部材の下面に接触され、
前記バッファ層の上面は、下面より粗い、請求項１乃至４のいずれかに記載の発光素子パッケージ。
【請求項６】
前記バッファ層は、前記放熱部材の幅より広い幅を有し、５０μｍ以下の厚さに形成されている、請求項１乃至５のいずれかに記載の発光素子パッケージ。
【請求項７】
前記バッファ層は、前記本体の下面と同じ面積を有する請求項１乃至６のいずれかに記載の発光素子パッケージ。
【請求項８】
前記複数の電極のうちの第１電極は、前記発光ダイオードと前記放熱部材との間に前記放熱部材の上面の幅より広い幅に形成されている、請求項１乃至７のいずれかに記載の発光素子パッケージ。
【請求項９】
前記放熱部材の上面周りに前記放熱部材の側面より前記本体の側方向に突出の突起および前記バッファ層内に配置された複数の伝導性ビアのうち少なくとも一つを含む、請求項１乃至８のいずれかに記載の発光素子パッケージ。
【請求項１０】
前記空洞の底面に配置されて前記空洞の底面より低い深さに形成された複数の副空洞を含み、
前記複数の副空洞のうち何れか一つに配置された保護素子を含み、
前記複数の副空洞の深さは、前記空洞の深さの１／２〜１／４の深さを有する、請求項１乃至９のいずれかに記載の発光素子パッケージ。
【請求項１１】
前記放熱部材は、前記空洞の底面の幅より狭い幅を有する下面および前記発光ダイオードの下面の幅より広い幅を有する上面を備える、請求項１乃至１０のいずれかに記載の発光素子パッケージ。
【請求項１２】
前記複数のパッドは、前記本体の下面領域のうち第１領域に配置された第１パッドと前記本体の下面領域のうち中央領域に配置された第２パッドおよび前記本体の下面領域のうち第２領域に配置された第３パッドを含み、
前記本体の下面領域で前記第２パッドは前記第１パッドと第３パッドとの間に配置され、
前記バッファ層は前記第２パッドと前記放熱部材との間に配置される、請求項１乃至１１のいずれかに記載の発光素子パッケージ。
【請求項１３】
前記空洞の周りに配置された金属層を備える、請求項１乃至１２のいずれかに記載の発光素子パッケージ。
【請求項１４】
前記発光ダイオードは、紫外線発光ダイオードであり、
前記本体の空洞の上部周りに前記本体の上面より低く段差付けた領域の上に配置されたガラスフィルムを備える、請求項１乃至１３のいずれかに記載の発光素子パッケージ。
【請求項１５】
発光素子パッケージと、
前記発光素子パッケージが配列されたモージュル基板と
を備え、
前記発光素子パッケージは、
上部が開放の空洞を有してセラミック材質を含む本体と、
前記本体内に空洞の底面と前記本体の下面との間の領域に配置された放熱部材と、
前記空洞の底面に配置された複数の電極と、
前記本体の下面に配置されて前記複数の電極と電機的に接続された複数のパッドと、
前記空洞の底面に配置された前記複数の電極のうち何れか一つの上に配置され、前記複数の電極と電機的に接続された発光ダイオードと、
前記複数のパッドのうち少なくとも一つと前記放熱部材との間に配置されて前記放熱部材の厚さより薄い厚さを有するバッファ層と
を備え、
前記本体は前記放熱部材の周りに配置され、
前記放熱部材の下面の面積は、前記複数のパッドのうち何れか一つの上面の面積より小さい、紫外線ランプ。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
第１導電型半導体層、前記第１導電型半導体層の下の活性層、前記活性層の下の第２導電型半導体層を有する発光構造物と、
前記第１導電型半導体層に電気的に接続された第１電極と、
前記第２導電型半導体層に電気的に接続された第２電極とを備え、
前記第１導電型半導体層の上部表面は連続的な勾配変化を有する曲面を有し、前記第１導電型半導体層の前記曲面に微細凹凸が形成され、
前記第１導電型半導体層の上部表面に有する前記曲面は、波状の屈曲面を形成し、
前記波状の屈曲面は、１マイクロメートル乃至２マイクロメートルの高さ及び１０マイクロメートル乃至５０マイクロメートルの幅の周期で形成される発光素子。
【請求項２】
前記発光構造物の表面は、互いに異なる方向の曲率を有する複数個の第１面と第２面が互いに交代に配置されている、請求項１に記載の発光素子。
【請求項３】
前記第１面及び前記第２面のうちの少なくとも１つの表面には光抽出パターンが形成されている、請求項２に記載の発光素子。
【請求項４】
前記第１面及び前記第２面は、前記第１導電型半導体層の表面に配置されている、請求項２又は３に記載の発光素子。
【請求項５】
第１面及び前記第２面のうちの少なくとも１つはマイクロレンズタイプである、請求項２乃至４のいずれかに記載の発光素子。
【請求項６】
前記第１面及び前記第２面のうちの少なくとも１つは１５乃至２５マイクロメートルの幅を有する、請求項２乃至５のいずれかに記載の発光素子。
【請求項７】
前記第１面と前記第２面の幅が同じである、請求項２乃至６のいずれかに記載の発光素子。
【請求項８】
前記第１面と第２面の表面は互いに対称を成す、請求項２乃至７のいずれかに記載の発光素子。
【請求項９】
前記第１面は陰刻形状であり、前記第２面は陽刻形状である、請求項２乃至８のいずれかに記載の発光素子。
【請求項１０】
前記第１面と前記第２面の間にフラット（ｆｌａｔ）な第３面を更に有する、請求項２乃至９のいずれかに記載の発光素子。
【請求項１１】
前記第１導電型半導体層の上部表面は第１方向の断面上部が連続的な勾配変化を有する曲線を有し、第２方向の断面上部が連続的な勾配変化を有する曲線を有する、請求項１に記載の発光素子。
【請求項１２】
前記第１導電型半導体層の上部表面は第１方向の断面上部が連続的な勾配変化を有する曲線を有し、第２方向の断面上部が互いに異なる勾配を有する直線を有する、請求項１又は１１に記載の発光素子。
【請求項１３】
前記第１導電型半導体層の上部表面は、所定形状の反復された曲面を含む請求項１乃至３のいずれかに記載の発光素子。
【請求項１４】
前記第２導電型半導体層の下に配置された電流遮断層を更に備える、請求項１に記載の発光素子。
【請求項１５】
前記第２導電型半導体層と前記第２電極との間、及び前記電流遮断層と前記第２電極との間に配置されたオーミック接触層を更に備え、前記第２電極の上部面は凹凸構造を含む請求項１４に記載の発光素子。
【請求項１６】
前記電流遮断層と前記第１電極は、垂直方向に少なくとも一部領域が重畳された、請求項１４又は１５に記載の発光素子。
【請求項１７】
前記電流遮断層は、絶縁性を有するか前記発光構造物とショットキー接触する、請求項１４乃至１６のいずれかに記載の発光素子。
【請求項１８】
前記微細凹凸は、高さ又は周期が０．８乃至１．２マイクロメートルである、請求項１乃至１７のいずれかに記載の発光素子。
【請求項１９】
前記第１電極は、前記第１導電型半導体層に接触された、請求項１乃至１８のいずれかに記載の発光素子。
【請求項２０】
前記第２電極は、前記第２導電型半導体層に接触された、請求項１乃至１９のいずれかに記載の発光素子。
【請求項２１】
前記第２導電型半導体層の下に配置された反射電極を更に備える、請求項１乃至２０のいずれかに記載の発光素子。
【請求項２２】
請求項１乃至２１のいずれかに記載の発光素子を備える照明システム。
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
固定子と、該固定子内に移動可能に取り付けられた可動部品とを備えたアクチュエータであって、前記固定子が、
ヨークと、
前記ヨークの一方の軸端に配置されたプリント回路基板と、
前記ヨークの内部に取り付けられて、前記プリント回路基板の方へ延びる複数の間隔を空けた延長部分を有するボビンと、
前記ボビンの周囲に巻かれた、コイル端部を有する少なくとも１つの巻線と、
前記プリント回路基板に面する前記ボビンの前記延長部分のそれぞれの端部に取り付けられた複数の端子と、
を含み、前記端子が、前記ヨークから間隔を空けるとともに、前記コイル端部をプリント回路基板に電気的に接続し、前記ボビンと前記プリント回路基板の間の前記端子の自由長が、前記端子と前記ヨークを短絡させる恐れのある屈曲を避けるのに十分な短さである、
ことを特徴とするアクチュエータ。
【請求項２】
前記端子の前記自由長が、前記端子の最大外径の３倍以下である、
ことを特徴とする請求項１に記載のアクチュエータ。
【請求項３】
前記端子の前記自由長が、前記端子の最大外径の２倍以下である、
ことを特徴とする請求項１に記載のアクチュエータ。
【請求項４】
前記延長部分が前記プリント回路基板に接し、前記延長部分の各々が、前記プリント回路基板に面する端部に切り欠きを有し、前記延長部分の前記切り欠きから前記端子が延び、前記切り欠きが、前記端子と前記それぞれのコイル端部の間の接続部を収容する、
ことを特徴とする請求項１から請求項３のいずれか１項に記載のアクチュエータ。
【請求項５】
リセット磁石をさらに備え、前記ボビンが、前記リセット磁石を受け入れるための溝を含み、前記溝の開放端が、前記延長部分の前記軸端から前記ボビンの軸方向に所定の距離だけ間隔を空ける、
ことを特徴とする請求項１から請求項４のいずれか１項に記載のアクチュエータ。
【請求項６】
前記固定子が、前記ボビンの一端に取り付けられた取付座を含み、前記プリント回路基板が、前記取付座に固定される、
ことを特徴とする請求項１から請求項５のいずれか１項に記載のアクチュエータ。
【請求項７】
前記取付座が、前記ボビンの延長部分間に圧入される伸長部を含む、
ことを特徴とする請求項６に記載のアクチュエータ。
【請求項８】
前記ボビンが、前記可動部品を受け入れるための凹部を有する本体と、前記本体の開放端に取り付けられるカバーとを含む、
ことを特徴とする請求項１から請求項７のいずれか１項に記載のアクチュエータ。
【請求項９】
前記可動部品が、シャフトと、該シャフトに固定された磁石本体と、前記ボビンの前記本体と前記カバーの間に定められる溝から延びる少なくとも１つのアームとを含む、
ことを特徴とする請求項８に記載のアクチュエータ。
【請求項１０】
前記磁石本体が、コアに固定された環状の永久磁石を含む、
ことを特徴とする請求項９に記載のアクチュエータ。
【請求項１１】
前記少なくとも１つの巻線が、駆動巻線及び感知巻線を含み、前記ボビンが、前記２つの巻線を収容するための２つのチャネルを有する、
ことを特徴とする請求項１から請求項１０のいずれか１項に記載のアクチュエータ。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
筐体内に配置され、衣類等の被乾燥物を収納する収納部と、
前記筐体内部に配置されたヒートポンプ装置と、
前記ヒートポンプ装置により熱交換された空気を搬送する送風手段と、
前記熱交換された空気を前記送風手段により前記ヒートポンプ装置から前記収納部内へ給気し、さらに前記収納部内から前記ヒートポンプ装置へ循環させる給気ダクトおよび排気ダクトを有する風回路と、を具備し、
前記ヒートポンプ装置は、圧縮機と、前記圧縮機によって圧縮された冷媒の熱を放熱する放熱器と、高圧の冷媒の圧力を減圧する絞り手段と、前記減圧された冷媒が周囲から熱を奪う吸熱器と、を有するとともに、前記圧縮機と、前記放熱器と、前記絞り手段と、前記吸熱器とを前記冷媒が循環する如く連結した冷媒循環回路と、前記収納部からの空気を前記吸熱器へ導く吸熱器風路と、前記放熱器からの空気を前記収納部へ導く放熱器風路と、を具備し、
前記吸熱器風路の流入口を前記圧縮機の略上方に配設し、
前記放熱器風路の吐出口を前記送風手段の吸込み口に接続し、
前記筐体内に、前記圧縮機と、前記放熱器および吸熱器と、前記送風手段とを順に並べて配置した乾燥装置。
【請求項２】
前記圧縮機と、前記放熱器及び吸熱器と、前記送風手段とを一体化してユニット化した請求項１に記載の乾燥装置。
【請求項３】
前記吸熱器風路を隔壁にて前記圧縮機と隔てた請求項１または２に記載の乾燥装置。
【請求項４】
前記吸熱器の吸入側開口面側に吸込みチャンバーを形成し、前記吸込みチャンバーと前記吸熱器の吸入側開口面との距離が、前記吸熱器風路の流入口と連通した吸入側部風路側ほど大きくなるように前記吸熱器を配置した請求項１から３のいずれか１項に記載の乾燥装置。
【手続補正２】
【補正対象書類名】明細書
【補正対象項目名】発明の名称
【補正方法】変更
【補正の内容】
【発明の名称】乾燥装置
【手続補正３】
【補正対象書類名】明細書
【補正対象項目名】００３４
【補正方法】変更
【補正の内容】
【００３４】
上記従来の課題を解決するために、本発明の乾燥装置は、筐体内に配置され、衣類等の被乾燥物を収納する収納部と、前記筐体内部に配置されたヒートポンプ装置と、前記ヒートポンプ装置により熱交換された空気を搬送する送風手段と、前記熱交換された空気を前記送風手段により前記ヒートポンプ装置から前記収納部内へ給気し、さらに前記収納部内から前記ヒートポンプ装置へ循環させる給気ダクトおよび排気ダクトを有する風回路と、を具備し、前記ヒートポンプ装置は、圧縮機と、前記圧縮機によって圧縮された冷媒の熱を放熱する放熱器と、高圧の冷媒の圧力を減圧する絞り手段と、前記減圧された冷媒が周囲から熱を奪う吸熱器と、を有するとともに、前記圧縮機と、前記放熱器と、前記絞り手段と、前記吸熱器とを前記冷媒が循環する如く連結した冷媒循環回路と、前記収納部からの空気を前記吸熱器へ導く吸熱器風路と、前記放熱器からの空気を前記収納部へ導く放熱器風路と、を具備し、前記吸熱器風路の流入口を前記圧縮機の略上方に配設し、前記放熱器風路の吐出口を前記送風手段の吸込み口に接続し、前記筐体内に、前記圧縮機と、前記放熱器および吸熱器と、前記送風手段とを順に並べて配置したものである。
【手続補正４】
【補正対象書類名】明細書
【補正対象項目名】００３７
【補正方法】変更
【補正の内容】
【００３７】
本発明の乾燥装置は、小型化を図ることができる。
【手続補正５】
【補正対象書類名】明細書
【補正対象項目名】００４０
【補正方法】変更
【補正の内容】
【００４０】
請求項１記載の発明は、筐体内に配置され、衣類等の被乾燥物を収納する収納部と、前記筐体内部に配置されたヒートポンプ装置と、前記ヒートポンプ装置により熱交換された空気を搬送する送風手段と、前記熱交換された空気を前記送風手段により前記ヒートポンプ装置から前記収納部内へ給気し、さらに前記収納部内から前記ヒートポンプ装置へ循環させる給気ダクトおよび排気ダクトを有する風回路と、を具備し、前記ヒートポンプ装置は、圧縮機と、前記圧縮機によって圧縮された冷媒の熱を放熱する放熱器と、高圧の冷媒の圧力を減圧する絞り手段と、前記減圧された冷媒が周囲から熱を奪う吸熱器と、を有するとともに、前記圧縮機と、前記放熱器と、前記絞り手段と、前記吸熱器とを前記冷媒が循環する如く連結した冷媒循環回路と、前記収納部からの空気を前記吸熱器へ導く吸熱器風路と、前記放熱器からの空気を前記収納部へ導く放熱器風路と、を具備し、前記吸熱器風路の流入口を前記圧縮機の略上方に配設し、前記放熱器風路の吐出口を前記送風手段の吸込み口に接続し、前記筐体内に、前記圧縮機と、前記放熱器および吸熱器と、前記送風手段とを順に並べて配置したものである。
【手続補正６】
【補正対象書類名】明細書
【補正対象項目名】００４１
【補正方法】変更
【補正の内容】
【００４１】
また、上記構成において、前記圧縮機と、前記放熱器及び吸熱器と、前記送風手段とを一体化してユニット化してもよい。
【手続補正７】
【補正対象書類名】明細書
【補正対象項目名】００４２
【補正方法】変更
【補正の内容】
【００４２】
また、上記構成において、前記吸熱器風路を隔壁にて前記圧縮機と隔てた構成としてもよい。
【手続補正８】
【補正対象書類名】明細書
【補正対象項目名】００４３
【補正方法】変更
【補正の内容】
【００４３】
また、上記構成において、前記吸熱器の吸入側開口面側に吸込みチャンバーを形成し、前記吸込みチャンバーと前記吸熱器の吸入側開口面との距離が、前記吸熱器風路の流入口と連通した吸入側部風路側ほど大きくなるように前記吸熱器を配置してもよい。
【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
前面側に所定の遊技領域が形成された遊技盤を保持する枠部材と、
前記枠部材の前面側に開閉自在に設けられ、前記枠部材の少なくとも一部を覆う閉止位置と、当該一部を開放する開放位置との間で揺動する開閉部材と、
前記枠部材の前面側に設けられて、遊技球を前記遊技領域に向けて打ち出す発射ユニットと、を備える弾球遊技機であって、
前記発射ユニットは、
ソレノイドの駆動により球送り部材を動作させて遊技球を球送りする球送り機構と、
前記球送り機構から球送りされた遊技球を発射レールに沿って前記遊技領域へ向けて打ち出す発射機構と、
前記発射機構の側に設けられるケース本体と当該ケース本体に開閉可能に取り付けられて前記球送り機構の側に設けられるケース蓋とを有するケース部材と、を備えて構成され、
前記発射レールに近接して、前記球送り機構から前記発射機構へ通された糸状体を受容して切断可能な切断部材が前記ケース蓋によって前面側から覆われた状態で設けられ、前記切断部材の主面の少なくとも一部が遊技球の発射軌道に対して略平行となるよう配置され、
前記球送り機構から前記発射機構へ通された糸状体を受容して切断可能な切断部材が前記ケース蓋によって前面側から覆われた状態で前記ケース蓋に設けられ、前記切断部材は遊技球の発射方向から見て前記球送り機構と前記発射機構との間に配置されており、
前記切断部材は、薄板状に形成された本体部と、前記本体部に凹設されて前記糸状体を受容する一つの谷部とを有し、
前記ソレノイドと当該ソレノイドを駆動制御する制御手段とを電気接続するための接続手段を有し、
前記ケース部材を前面側から見て、前記ケース蓋に設けられた前記ソレノイドを基準として、左右方向の一方側に遊技球を前記球送り機構へ導く球入口が前記ケース蓋に設けられ、左右方向の他方側で前記接続手段を当該ケース部材の内外へ通過させていることを特徴とする弾球遊技機。
【手続補正２】
【補正対象書類名】明細書
【補正対象項目名】０００６
【補正方法】変更
【補正の内容】
【０００６】
このような目的達成のために、本発明に係る弾球遊技機は、前面側に所定の遊技領域が形成された遊技盤を保持する枠部材（例えば、実施形態における前枠２）と、枠部材の前面側に開閉自在に設けられ、枠部材の少なくとも一部を覆う閉止位置と、当該一部を開放する開放位置との間で揺動する開閉部材（例えば、実施形態における上球皿３０）と、枠部材の前面側に設けられて遊技球を遊技領域に向けて打ち出す発射ユニットと、を備える弾球遊技機であって、発射ユニットは、ソレノイドの駆動により球送り部材を動作させて遊技球を球送りする球送り機構と、球送り機構から球送りされた遊技球を発射レールに沿って遊技領域へ向けて打ち出す発射機構と、発射機構の側に設けられるケース本体と当該ケース本体に開閉可能に取り付けられて球送り機構の側に設けられるケース蓋とを有するケース部材と、を備えて構成され、発射レールに近接して、球送り機構から発射機構へ通された糸状体を受容して切断可能な切断部材がケース蓋によって前面側から覆われた状態で設けられ、切断部材の主面の少なくとも一部が遊技球の発射軌道に対して略平行となるよう配置され、球送り機構から発射機構へ通された糸状体を受容して切断可能な切断部材がケース蓋によって前面側から覆われた状態でケース蓋に設けられ、切断部材は遊技球の発射方向から見て球送り機構と発射機構との間に配置されており、切断部材は、薄板状に形成された本体部と、本体部に凹設されて糸状体を受容する一つの谷部とを有し、ソレノイドと当該ソレノイドを駆動制御する制御手段とを電気接続するための接続手段を有し、ケース部材を前面側から見て、ケース蓋に設けられたソレノイドを基準として、左右方向の一方側に遊技球を球送り機構へ導く球入口がケース蓋に設けられ、左右方向の他方側で接続手段を当該ケース部材の内外へ通過させていることを特徴とする。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
持点による遊技が可能であり、遊技者所有の遊技用価値を用いて持点を加算する遊技用装置と通信する通信部を備え、入賞の発生に応じて持点が加算され、遊技媒体を循環させる循環経路を有する封入式の遊技機であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備えた、遊技機。
【請求項２】
持点による遊技が可能であり、遊技者所有の遊技用価値を用いて持点を加算する遊技用装置と通信する通信部を備え、入賞の発生に応じて持点が加算され、遊技媒体を循環させる循環経路を有する封入式の遊技機の遊技枠であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備えた、遊技枠。
【手続補正２】
【補正対象書類名】明細書
【補正対象項目名】０００６
【補正方法】変更
【補正の内容】
【０００６】
（１）  本発明は、持点による遊技が可能であり、遊技者所有の遊技用価値を用いて持点を加算する遊技用装置と通信する通信部を備え、入賞の発生に応じて持点が加算され、遊技媒体を循環させる循環経路を有する封入式の遊技機（パチンコ機２、スロットマシン２Ｓ）であって、
遊技への使用および入賞の発生に応じた持点の変化量を特定する特定手段（遊技機制御用のマイクロコンピュータ、加算玉数カウンタ、減算玉数カウンタ）と、
持点を記憶する持点記憶手段（遊技玉数カウンタ）と、
前記持点記憶手段が記憶している持点を前記変化量に応じて更新する持点更新手段（払出制御部１７、１１７）と、
前記変化量を特定可能な更新情報と前記持点記憶手段に記憶されている持点とを前記通信部から前記遊技用装置へ送信する制御を行なう情報送信制御手段（図４４；加算玉数、減算玉数、遊技玉数を含む動作応答を送信）と、
遊技を行なう遊技者を特定する遊技者特定情報を記憶する遊技者特定情報記憶手段（図６、図１１１；表示器用演出制御部２９２の現遊技者遊技履歴データ記憶部）と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段（図２７、図３７、図６５〜図８２；Ｃ-ＩＤを含むリカバリ応答を送信）とを備える。
【手続補正３】
【補正対象書類名】明細書
【補正対象項目名】０００９
【補正方法】変更
【補正の内容】
【０００９】
このような構成によれば、不正行為、その他の原因によって遊技機側で記憶している持点の大きさに異常が生じることによって遊技用装置側で記憶している持点と遊技機側で記憶している持点とが整合しなくなった場合でも、遊技機側で記憶している持点を遊技用装置側で記憶している持点に補正可能となる。
（３）  本発明の他の態様は、持点による遊技が可能であり、遊技者所有の遊技用価値を用いて持点を加算する遊技用装置と通信する通信部を備え、入賞の発生に応じて持点が加算され、遊技媒体を循環させる循環経路を有する封入式の遊技機の遊技枠であって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技を行なう遊技者を特定する遊技者特定情報を記憶する遊技者特定情報記憶手段と、
前記遊技機と前記遊技用装置との接続後遊技を行なう遊技者と該接続前に遊技を行なっていた遊技者との同一性を判定するための情報として、前記遊技用装置との通信の開始の際に前記遊技者特定情報記憶手段に記憶されている遊技者特定情報を前記通信部から前記遊技用装置へ送信する制御を行なう遊技者特定情報送信制御手段とを備える。
【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
遊技中に第１事象が生じたことを契機として、第１の抽選要素及び第１の当選種類決定要素をそれぞれ取得する第１の要素取得手段と、
遊技中に前記第１事象とは別の第２事象が生じたことを契機として、第２の抽選要素及び第２の当選種類決定要素をそれぞれ取得する第２の要素取得手段と、
前記第１の要素取得手段により取得された前記第１の抽選要素及び前記第１の当選種類決定要素を一組の抽選情報にした状態で、この抽選情報の組を所定の上限数まで記憶可能な第１の記憶領域と、
前記第２の要素取得手段により取得された前記第２の抽選要素及び前記第２の当選種類決定要素を一組の抽選情報にした状態で、この抽選情報の組を所定の上限数まで記憶可能な第２の記憶領域と、
遊技中に内部抽選を実行するべき条件が未だ満たされていない状態で前記第１事象又は前記第２事象が発生すると、前記第１の記憶領域又は前記第２の記憶領域に対して前記抽選情報の組をそれぞれ前記上限数に達するまで記憶させる保留記憶手段と、
前記第１の記憶領域及び前記第２の記憶領域に記憶された前記抽選情報の組数を記憶数としてそれぞれ個別に計数する記憶数カウント手段と、
前記第１の記憶領域又は前記第２の記憶領域に前記抽選情報が記憶されている状態で前記内部抽選を実行するべき条件が満たされると、前記記憶数カウント手段により前記第１の記憶領域及び前記第２の記憶領域の両方について１以上の記憶数が計数されている場合は前記第１の記憶領域よりも前記第２の記憶領域から優先的に一組の前記抽選情報を所定の共通記憶領域に移し替えて記憶させ、一方、前記第１の記憶領域又は前記第２の記憶領域のいずれかだけについて１以上の記憶数が計数されている場合は、その記憶数を有する前記第１の記憶領域又は前記第２の記憶領域から一組の前記抽選情報を前記共通記憶領域に移し替えて記憶させる記憶移行手段と、
前記記憶移行手段により一組の前記抽選情報が前記共通記憶領域に移し替えられるのに際して、その移し替えられる一組の前記抽選情報が少なくとも前記第１の抽選要素又は前記第２の抽選要素のいずれを含むものであるかを表す抽選要素識別情報を生成した上で、この抽選要素識別情報を前記共通記憶領域内に合わせて記憶させる情報記憶手段と、
前記記憶移行手段により前記共通記憶領域に移し替えられた一組の前記抽選情報及び前記情報記憶手段により前記共通記憶領域内に記憶された前記抽選要素識別情報を用いて前記内部抽選を実行する抽選実行手段と
前記内部抽選が行われると、そのとき用いられた前記抽選情報に含まれている前記第１の抽選要素又は前記第２の抽選要素にそれぞれ対応した第１図柄又は第２図柄を変動表示させた後、前記内部抽選の結果を表す態様で前記第１図柄又は前記第２図柄を停止表示させる図柄表示手段と
を備えたことを特徴とする遊技機。
【請求項２】
請求項１に記載の遊技機において、
前記記憶移行手段は、
前記抽選情報を移し替えた後の前記第１の記憶領域又は前記第２の記憶領域の記憶内容を前記内部抽選の実行には無関係な情報に置き換えることを特徴とする遊技機。
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
規定数の遊技媒体を投入し、複数個の図柄が配置された図柄列を複数列変動させる変動表示ゲームを開始して、役の抽選を行って、複数の図柄列に対応して設けられた停止スイッチが個々に操作されると、対応する図柄列を停止させ、全ての図柄列が停止したとき、表示窓に導出された図柄の表示結果に応じて入賞が発生する遊技機において、
天井ゲーム数を抽選で決定する天井ゲーム数決定手段と、
ワープゲーム数を抽選で決定するワープゲーム数決定手段と、
前記天井ゲーム数、段階設定値が打ち直されてから消化した変動表示ゲーム数及び前記ワープゲーム数決定手段が決定した総ワープゲーム数に基づいて、特別ゲームを当選させる特別ゲーム当選手段と、
役の抽選で、前記規定数の遊技媒体を投入することなく次の変動表示ゲームを行うことができる特殊リプレイ役が当選すると、停止スイッチの逆押し操作で特別図柄を表示窓に一直線に表示させることが可能な図柄表示制御手段と、
前記特殊リプレイ役が当選して、停止スイッチの逆押し操作を契機に、前記特別ゲームを行う特別ゲーム制御手段と、
を具備し、
前記特別ゲーム当選手段は、前記ワープゲーム数決定手段がワープゲーム数を抽選で決定し、該ワープゲーム数により、前記天井ゲーム数に到達したら、前記特別ゲームを当選させると共に、前記天井ゲーム数に到達して残ったワープゲーム数を短縮ゲーム数とし、
前記特別ゲーム制御手段が前記特別ゲームを終了させると、前記特別ゲーム当選手段は、該特別ゲームの終了後に消化した変動表示ゲーム数、該特別ゲームの終了後に当選した総ワープゲーム数及び前記短縮ゲーム数の合計が、前記天井ゲーム数決定手段が決定した新たな天井ゲーム数に到達していれば、新たな特別ゲームを当選させること、
を特徴とする遊技機。
【手続補正２】
【補正対象書類名】明細書
【補正対象項目名】００２２
【補正方法】変更
【補正の内容】
【００２２】
請求項１に係る本発明の遊技機は、上記の目的を達成する為に、規定数の遊技媒体を投入し、複数個の図柄が配置された図柄列を複数列変動させる変動表示ゲームを開始して、役の抽選を行って、複数の図柄列に対応して設けられた停止スイッチが個々に操作されると、対応する図柄列を停止させ、全ての図柄列が停止したとき、表示窓に導出された図柄の表示結果に応じて入賞が発生する遊技機において、天井ゲーム数を抽選で決定する天井ゲーム数決定手段と、ワープゲーム数を抽選で決定するワープゲーム数決定手段と、前記天井ゲーム数、段階設定値が打ち直されてから消化した変動表示ゲーム数及び前記ワープゲーム数決定手段が決定した総ワープゲーム数に基づいて、特別ゲームを当選させる特別ゲーム当選手段と、役の抽選で、前記規定数の遊技媒体を投入することなく次の変動表示ゲームを行うことができる特殊リプレイ役が当選すると、停止スイッチの逆押し操作で特別図柄を表示窓に一直線に表示させることが可能な図柄表示制御手段と、前記特殊リプレイ役が当選して、停止スイッチの逆押し操作を契機に、前記特別ゲームを行う特別ゲーム制御手段と、を具備し、前記特別ゲーム当選手段は、前記ワープゲーム数決定手段がワープゲーム数を抽選で決定し、該ワープゲーム数により、前記天井ゲーム数に到達したら、前記特別ゲームを当選させると共に、前記天井ゲーム数に到達して残ったワープゲーム数を短縮ゲーム数とし、前記特別ゲーム制御手段が前記特別ゲームを終了させると、前記特別ゲーム当選手段は、該特別ゲームの終了後に消化した変動表示ゲーム数、該特別ゲームの終了後に当選した総ワープゲーム数及び前記短縮ゲーム数の合計が、前記天井ゲーム数決定手段が決定した新たな天井ゲーム数に到達していれば、新たな特別ゲームを当選させることを特徴とする。
【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
遊技者所有の遊技用価値を用いて持点を加算する遊技用装置と通信可能に接続するための接続部と、複数種類の図柄を可変表示させる可変表示装置とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシンであって、
ゲームの進行に応じて変化する遊技データの変化量を特定する特定手段と、
前記変化量を特定可能な更新情報を前記遊技用装置へ送信する情報送信手段と、
前記情報送信手段が前回に送信した前記更新情報により特定された変化量を記憶するための前回変化量記憶手段と、
前記遊技用装置と前記スロットマシンとの間で通信不能状態が発生したときから、通信不能状態から復旧させて前記遊技用装置と前記スロットマシンとの間でのデータの整合性を回復させる復旧処理が実行されるまでの間において、前記特定手段により特定された遊技データの変化量を記憶する今回変化量記憶手段とを含み、
前記情報送信手段は、前記復旧処理が行なわれたことにより、前記今回変化量記憶手段に記憶されている遊技データの変化量と前記前回変化量記憶手段に記憶されている遊技データの変化量との合算値を前記更新情報として前記遊技用装置へ送信する、スロットマシン。
【手続補正２】
【補正対象書類名】明細書
【補正対象項目名】００１２
【補正方法】変更
【補正の内容】
【００１２】
（１）  遊技者所有の遊技用価値（プリペイド残高、貯メダル数）を用いて持点を加算する遊技用装置（カードユニット３）と通信可能に接続するための接続部（コネクタ２２０）と、複数種類の図柄を可変表示させる可変表示装置（リール２Ｌ、２Ｃ、２Ｒ）とを備え、持点で賭数を設定することにより１ゲームが開始可能になるとともに前記可変表示装置に表示結果が導出されることにより１ゲームが終了し、該可変表示装置の表示結果により発生した入賞に応じて持点が加算されるスロットマシン（スロットマシン２）であって、
ゲームの進行に応じて変化する遊技データの変化量（加算数、減算数、外部出力情報）を特定する特定手段（遊技制御用マイクロコンピュータ、持点制御用マイクロコンピュータ、加算数カウンタ、減算数カウンタ、外部出力情報カウンタ）と、
前記変化量を特定可能な更新情報（加算数、減算数、および外部出力情報を含む動作応答）を前記遊技用装置へ送信する情報送信手段（持点制御基板１１７）と、
前記情報送信手段が前回に送信した前記更新情報により特定された変化量を記憶するための前回変化量記憶手段と、
前記遊技用装置と前記スロットマシンとの間で通信不能状態が発生したときから、通信不能状態から復旧させて前記遊技用装置と前記スロットマシンとの間でのデータの整合性を回復させる復旧処理が実行されるまでの間において、前記特定手段により特定された遊技データの変化量を記憶する今回変化量記憶手段（図３６〜図４３；ＣＵの電源断の直前に送信した動作応答の送信後からＣＵが起動してリカバリ処理が行なわれるまでの間における加算数、減算数、持点数等を現在数として記憶する、加算数カウンタ、減算数カウンタ、持点数カウンタ等、ならびに前回数の各データ）とを含み、
前記情報送信手段は、前記復旧処理が行なわれたことにより、前記今回変化量記憶手段に記憶されている遊技データの変化量と前記前回変化量記憶手段に記憶されている遊技データの変化量との合算値を前記更新情報として前記遊技用装置へ送信する。